(57)【要約】  【課題】  回転リールの大型化、構成部品の増加等が可能な、従来のスロットマシンと略同等の広さの上側内部空間を有する分離型スロットマシンを提供する。  【解決手段】  正面に開口する筺形の本体キャビネット1、その内部に横方向に渡され、内部を上下に仕切りかつ開口を開口上部13及び開口下部14に仕切る中板12、開口上部13を塞ぐ上扉30、開口下部14を塞ぐ下扉40、リールユニット22、ホッパーユニット5、主基板及び電源装置を少なくとも有する分離型スロットマシンにおいて、中板12上部に交換ユニット2を備え、交換ユニット2には、支持体21にリールユニット22及び主基板を設け、中板12下方に電源装置、ホッパーユニット5及び集中端子板7を備え、本体キャビネット1背面の中板12より上方は開口して形成する。【選択図】図１
2006075506.tif 000002
【特許請求の範囲】
【請求項１】
正面側に開口する筺形の本体キャビネットと、
前記本体キャビネット内部に横方向に渡されて、同本体キャビネットの内部空間を上下二つの空間に仕切るとともに、前記開口を開口上部と開口下部との二つの開口に仕切る、板状の中板と、
開口上部を開閉可能に塞ぐ上扉と、
開口下部を開閉可能に塞ぐ下扉と、
複数の図柄が表示された回転リール、及び、この回転リールを回転させるための駆動モータを有するリールユニットと、
遊技メダルを払い出すためのホッパーユニットと、
前記リールユニット及びホッパーユニットの作動を制御するための主基板と、
前記リールユニット、ホッパーユニット、主基板に電力を供給する電源装置と、を少なくとも有し、
前記中板の上部には、交換ユニットを備え、
この交換ユニットには、支持体に少なくとも前記リールユニット及び主基板を設け、
前記中板の下方には、少なくとも、前記電源装置及び前記ホッパーユニットを備え、
前記本体キャビネットの背面の、前記中板より上方は開口して形成されたことを特徴とする分離型スロットマシン。
【請求項２】
前記交換ユニットは、その背面に交換ユニット背板を備えていることを特徴とする請求項１記載の分離型スロットマシン。
【請求項３】
前記交換ユニット背板には、空隙が設けられていることを特徴とする請求項２記載の分離型スロットマシン。
【発明の詳細な説明】
【技術分野】
【０００１】
本発明は、分離型スロットマシンに関する。
【背景技術】
【０００２】
従来のスロットマシンは、正面に開口部を有する箱型のキャビネットと、同キャビネットの開口部を開閉自在に塞ぐ前扉とを備えていた。そして、このキャビネットの内部には、スロットマシンを構成する各装置、たとえば、複数の絵柄が表示されている回転リールやこの回転リールを回転させるモータ等を備えたリールユニット、遊技メダルを払い出すホッパー、これらを制御する主基板、電源装置等が備えられていた。
しかし、従来のスロットマシンでは、遊技内容を変更する際にはキャビネットごとそっくり交換しなければならず、遊技内容の変更とは無関係であって本来であれば交換する必要の無い装置、たとえば、ホッパー等をも交換することとなるため、交換に必要な費用がかさみ、さらには資源の無駄をも生じさせるという問題点があった。さらに、スロットマシンの交換では、ホッパー内のメダル抜き取り、本体の撤去、搬出及び運搬、新台の搬入、設置等という一連の作業をする必要があり、キャビネットまるごとの交換作業は、手間及び負担が大きいという問題点もあった。
【０００３】
そこで、このような問題点を解決するために、下記の特許文献１に示すような分離型スロットマシンが提供されている。すなわち、この分離型スロットマシンでは、開口部を有する筐型のキャビネットの内部に、横方向に板を渡して、前記開口部及びキャビネットの内部空間を上下に仕切っている。そして、キャビネットの内部空間の上部には、枠体等を支持体として、その中に遊技内容の変更に少なくとも必要な回転リールや遊技内容等を制御する主基板等を備えた交換ユニットを収納するものとする。また、キャビネットの内部空間の下方には、遊技内容の変更とは無関係なホッパーや電源装置等を設けるものとする。これにより、前記交換ユニットのみを交換することで遊技内容が変更されるため、交換にかかる費用を抑え、かつ、資源の無駄を省くことができ、さらに、交換作業の手間及び負担を小さくすることができる分離型スロットマシンを提供可能としている。
【特許文献１】特開２００３−４７６８５号公報
【発明の開示】
【発明が解決しようとする課題】
【０００４】
しかし、特許文献１に開示されている分離型スロットマシンは、上述の如く、支持体にリールユニット等を設置して構成された交換ユニットが、キャビネットの内部空間の上側に収納される構造となっている。また、前記支持体は金属製の枠体として形成されている。このような前記分離型スロットマシンの上側の内部空間は、枠体として形成された支持体により、従来のスロットマシンに比べて、支持体の分だけ狭くなる。すなわち、前記分離型スロットマシンの上方の内部空間は、従来のスロットマシンの上方の内部空間よりも容積が小さくなり、この空間の収納能力は低下することとなる。
さらに、分離型スロットマシンの構成部品が増加するような場合にも、容積的な制約を受けることにより、その構成部品を前記分離型スロットマシンの上方の内部空間に配置することが困難となるという問題が生じ、ひいては、自由度の高い設計が妨げられるというおそれも生じていた。
【０００５】
また、スロットマシンの背面は背板によって覆われていることから、スロットマシンの内部に熱がこもってしまうというおそれも生じていた。
したがって、上記のような事情により、構成部品の増加等を妨げることなく、自由度の高い設計ができ、内部に熱がこもることを防止できるような分離型スロットマシンの提供が望まれている。
そこで、各請求項に記載された発明は、上記した従来の技術の有する問題点に鑑みてなされたものであり、その目的とするところは、以下の点にある。
（請求項１）
すなわち、請求項１記載の発明は、上記事情に鑑みてなされたものであり、回転リールの大型化や構成部品の増加などにおいて、自由度の高い設計を行うことができるような分離型スロットマシンを提供することを目的とする。
【０００６】
（請求項２）
請求項２記載の発明は、上記した請求項１記載の発明の目的に加え、埃等の混入を抑制することが可能な分離型スロットマシンを提供することを目的とする。
（請求項３）
請求項３記載の発明は、上記した請求項２記載の発明の目的に加え、内部に熱がこもることを防止できるような分離型スロットマシンを提供することを目的とする。
【課題を解決するための手段】
【０００７】
請求項に記載された発明は、上記した各目的を達成するためになされたものであり、各発明の特徴点を図面に示した発明の実施の形態を用いて、以下に説明する。
なお、符号は、発明の実施の形態において用いた符号を示し、本発明の技術的範囲を限定するものではない。
（請求項１）
請求項１記載の発明に係る分離型スロットマシンＳは、正面側に開口する筺形の本体キャビネット1と、前記本体キャビネット1内部に横方向に渡されて、同本体キャビネット1の内部空間を上下二つの空間に仕切るとともに、前記開口を開口上部13と開口下部14との二つの開口に仕切る、板状の中板12と、開口上部13を開閉可能に塞ぐ上扉30と、開口下部14を開閉可能に塞ぐ下扉40と、複数の図柄が表示された回転リール23、及び、この回転リール23を回転させるための駆動モータを有するリールユニット22と、遊技メダルを払い出すためのホッパーユニット5と、前記リールユニット22及びホッパーユニット5の作動を制御するための主基板と、前記リールユニット22、ホッパーユニット5、主基板に電力を供給する電源装置と、を少なくとも有し、前記中板12の上部には、交換ユニット2を備え、この交換ユニット2には、支持体21に少なくとも前記リールユニット22及び主基板を設け、前記中板12の下方には、少なくとも、前記電源装置及び前記ホッパーユニット5を備え、前記本体キャビネット1の背面の、前記中板12より上方は開口して形成されたことを特徴とする。
【０００８】
本発明は、分離型スロットマシンＳとして、リールユニット22及び主基板を最低限交換可能に形成したものである。
本体キャビネット1は、その内部にスロットマシンの構成部品や装置等を収納する箱体であって、その正面側が開口している。ここで「正面側」とは、スロットマシンをシマに設置した際に、遊技者と対向する側をいう。また、前記本体キャビネット1は、その内部に装置等を収納できれば良いものであって、特に材質を限定するものではない。たとえば、木板によって構成されていても良く、また、金属板あるいはプラスチック板によって構成されていても良い。
【０００９】
中板12は、上述の如く、スロットマシンを構成する本体キャビネット1の内部空間を上下二つの空間に仕切るともに、本体キャビネット1の開口を開口上部13と開口下部14との二つの開口に仕切る板材であって、本体キャビネット1の内部に横方向に渡したものである。ここで「横方向」とは、本体キャビネット1の一方の側面から他方の側面に至る方向をいう。すなわち、前記中板12は本体キャビネット1の内部を、左側面から右側面まで渡される。また、前記中板12は、その材質については特に限定されるものではなく、たとえば、木材からなる木板でも良く、また、薄板金属板等でも良い。
前記上扉30及び下扉40は、本体キャビネット1の開口上部13及び開口下部14をそれぞれ開塞自在であって、両扉を閉めるとスロットマシンの正面構造となるように形成されているものである。前記上扉30及び下扉40は、本体キャビネット1の開口上部13及び開口下部14をそれぞれ開塞自在であればよく、本体キャビネット1に直接、上扉30及び下扉40を設けることができる。また、後述するように、中板12の上部には交換ユニット2が備えられるが、この交換ユニット2を構成する支持体21に、前記上扉30及び下扉40を設けることもできる。
【００１０】
また、これらの扉には、回転リール23を見ることができる図柄表示窓31や、スロットマシンを操作するための操作部41等を設けることができるものである。
リールユニット22は、複数の駆動モータを有し、各駆動モータの回転軸には、各々、表面に複数の図柄が表示された回転リール23が固定されている。
前記ホッパーユニット5は、入賞によりメダルを払い出すとともにメダルを貯留しておくためのものである。
前記主基板は、スロットマシンにおいてリールユニット22及びホッパーユニット5の作動を制御することができる電子部品を搭載した基板をいう。前記主基板は、ＲＯＭ、ＲＡＭ、ＣＰＵ等を有し、主として、当選の抽選やリールユニット22における回転リール23の停止制御など遊技を制御するものである。そして、これを交換すると遊技内容を変更することができる。また、スロットマシンには、前記主基板のみを備えるのではなく、リールユニット22及びホッパーユニット5の作動以外を制御することができる基板として副基板を備えることも可能である。
【００１１】
前記電源装置は、スロットマシンに電源を入れるためのものであり、電源基板や操作スイッチ等からなり、電源ユニット4として形成することができる。具体的には、前記電源装置は、リールユニット22、ホッパーユニット5、主基板等に電力を供給する。
前記交換ユニット2は、少なくとも、支持体21、リールユニット22及び主基板とから構成されているが、他の構成部品、たとえば演出を制御するための副基板などが含まれていてもよい。
前記支持体21は、たとえば枠体等が挙げられるが、リールユニット22と主基板とを支持することができるものであり、さらに、リールユニット22及び主基板を一体的に取り扱い可能とするものである。前記支持体21は、具体的には、たとえば枠状の枠体を含むものである。この枠体は、リールユニット22及び主基板等の機器を設置することが可能な強度を有する枠状の構造体であれば良いものであり、具体的には、たとえば直方体状の枠構造からなる金属枠のようなものを含むものである。そして、この支持体21としての枠体の内部には、複数の仕切り等を設けて、主基板等を配置しやすくしても良いものである。
【００１２】
また、この支持体21は、たとえばクリップなどの固定装置10により本体キャビネット1内部に固定されると共に、固定装置10による固定を解除することにより、本体キャビネット1から取り出し可能となっている。
また、前記交換ユニット2は、支持体21にリールユニット22及び主基板を設置したものに限定されるものではない。上述のように、交換ユニット2を、リールユニット22及び主基板を設置した支持体21と、上扉30とを組み合わせたものにしても良いものである。
前記中板12の上部には、交換ユニット2を備え、この交換ユニット2には、支持体21に少なくとも前記リールユニット22及び主基板を設ける。これは、交換ユニット2を中板12により支持していることを意味するものである。また、前記交換ユニット2は、中板12の上に載せるだけでも良く、中板12の上にネジ等により取り付けても良い。
【００１３】
前記中板12の下方には、少なくとも、前記電源装置及び前記ホッパーユニット5を備える。すなわち、前記中板12の下方には、遊技内容の変更に際して交換する必要の無い装置等を備える。
前記本体キャビネット1の背面の、前記中板12より上方は開口している。換言すると、前記本体キャビネット1の背板18は、中板12より上方には備えられておらず、中板12より下方にのみ備えられている。したがって、本体キャビネット1の、中板12より上方の内部空間は、背板18の厚み分、奥行き方向に広くなるため、交換ユニット2を備えていても、従来のスロットマシンと略同等の広さの上方内部空間を有することとなる。そして、回転リール23の大型化や構成部品の増加にも比較的容易に対応しやすくなり、ひいては自由度の高い設計を行うことができることとなる。
【００１４】
（請求項２）
請求項２記載の発明は、上記請求項１記載の発明の特徴に加え、前記交換ユニット2は、その背面に交換ユニット背板20を備えていることを特徴とする。
上述の如く、本体キャビネット1の背面の中板12より上側は開口しているため、埃等が本体キャビネット1の内部に入りやすくなっている。そこで、これを抑制するために、交換ユニット2の背面に交換ユニット背板20を備えることとする。すなわち、交換ユニット2が中板12の上部に備えられた際、交換ユニット2の背面が、従来の本体キャビネット1の背板が存在していた箇所に位置することとなり、交換ユニット2の背面に備えられた交換ユニット背板20が、従来の本体キャビネット1の背板として代用されることとなる。
【００１５】
従来のように、本体キャビネット1の背面に背板を備えるとすると、交換ユニット2の枠体及び本体キャビネット1の背板により二重構造となり、スロットマシンの上方内部空間が容積的に制限されるため、自由度の高い設計が困難となるが、上述のように、交換ユニット2の背面に交換ユニット背板20を備えて、当該交換ユニット背板20を本体キャビネット1の背板として代用することで、容積的に制限されることはなく、従来のスロットマシンと同じような自由度の高い設計ができることとなる。
交換ユニット背板20は、埃等の混入を抑制できれば、その備えられ方については特に限定されるものではない。たとえば、交換ユニット2の背面を全面に渡って覆っていてもよく、必ずしも交換ユニット2の背面の全面を覆っていなくてもよい。また、前記交換ユニット背板20の材質も特に限定されるものではなく、たとえば、木板によって構成されていても良く、また、金属板あるいはプラスチック板によって構成されていても良い。
【００１６】
（請求項３）
請求項３記載の発明は、上記請求項２記載の発明の特徴に加え、前記交換ユニット背板20には、空隙25が設けられていることを特徴とする。
交換ユニット背板20により、本体キャビネット1の背面の中板12より上方の開口が覆われてしまうと、当該本体キャビネット1の内部に熱がこもることとなってしまう。そこで、前記交換ユニット背板20に、本体キャビネット1の外部へ廃熱するための空隙25を設けることとする。
空隙25は、本体キャビネット1の内部にこもった熱を逃がすことができれば、その形状、大きさについては特に限定されるものではない。たとえば、空隙25として、楕円孔やスリットなどを設けることができる。また、設ける空隙25の数は１個でもよく、複数個でもよい。
【発明の効果】
【００１７】
本発明は、以上のように構成されているので、以下に記載されるような効果を奏する。
（請求項１）
すなわち、請求項１記載の発明によれば、回転リールの大型化や構成部品の増加などにおいて、自由度の高い設計を行うことができるような分離型スロットマシンを提供することができる。
（請求項２）
さらに、請求項２記載の発明によれば、上記した請求項１記載の発明の効果に加え、埃等の混入を抑制することが可能な分離型スロットマシンを提供することができる。
【００１８】
（請求項３）
さらに、請求項３記載の発明によれば、上記した請求項２記載の発明の効果に加え、内部に熱がこもることを防止できるような分離型スロットマシンを提供することができる。
【発明を実施するための最良の形態】
【００１９】
以下、本発明の実施の形態を図面を参照しつつ説明する。
図１は、本発明の実施の形態に係る分離型スロットマシンＳを示す分解斜視図、図２は、本発明の実施の形態に係る分離型スロットマシンＳの開扉状態及び上扉30並びに下扉40を示す斜視図、図３は、本発明の実施の形態にかかる本体キャビネット1の背面斜視図、図４は、本発明の実施の形態に係る交換ユニット2の背面斜視図、図５は、交換ユニット2を本体キャビネット1に収納した状態を示す斜視図、図６は、交換ユニット2を本体キャビネット1に収納した状態を示す側断面図である。
本実施の形態における分離型スロットマシンＳは、図１に示すように、正面側に開口部11を有し、かつ、この開口部を上下方向に仕切る水平状の中板12を有する本体キャビネット1と、本体キャビネット1内部で中板12上に着脱自在に設けられる交換ユニット2と、本体キャビネット1の開口部11を開閉可能に塞ぐ前扉3とから構成されており、さらにこの前扉3は、本体キャビネット1の、中板12上部である開口上部13を開閉可能に塞ぐ上扉30と、本体キャビネット1の、中板12下部である開口下部14を開閉可能に塞ぐ下扉40とから構成されている。
【００２０】
（本体キャビネット1）
本体キャビネット1は、底板15、右側板16a、左側板16b、天板17及び背板18からなる正面側に開口する筺体であり、高さ方向略中央部には、二つの側板16の間に水平方向に中板12が設けられている。また、前記背板18は、本体キャビネット1の背面の、中板12より下方を覆うように設けられている。すなわち、本体キャビネット1には、その背面の、中板12より下方に背板18が設けられており、当該背面の、中板12より上方は開口した背面開口部19となっている（図３参照）。
そして、この中板12の下面には電源ユニット4が設けられ、底板15にはホッパーユニット5が固定されている。電源ユニット4は、中板12の下面に、取り付け板等を介して取り付けられており、特に図示しないが電源装置が内装されていると共に、遊技店側が種々の設定を行うためのスイッチ等、店操作部を有している。電源ユニット4及びホッパーユニット5は、遊技性に影響を与える部品ではないことから、交換ユニット2の交換に際し、必ずしも交換する必要のないものであり、交換時には設置されたままにしておけるようになっているものである。
【００２１】
また、前記右側板16aの、中板12より下方には、集中端子板7が取り付けられている（図２及び図６参照）。
前記集中端子板7とは、総メダル投入枚数、総メダル払い出し枚数、総回転数、大当たり抽選回数などの遊技に関するデータを、ホールコンピュータ等との間で送受信する装置であり、遊技内容とは関係が無く、交換の必要が無いため、中板12の下方に備えることが望ましい。これにより、中板12より上方の内部空間を、より広いものとすることができる。なお、前記集中端子板7は、ホールコンピュータとのネットワーク接続ができるのであれば、たとえば本体キャビネット1の右側板16a又は左側板16bに備えても良く、中板12の下面に備えても良い。
【００２２】
前記左側板16bには、前記下扉40を係合させ、回転自在に支持するための下部係合部52が、上下方向に間隔を置いてそれぞれ二つずつ設けられている。
また、右側板16a及び左側板16bの正面側は、図１及び図２に示すように、上方から下方へ向かうに従って幅広となるよう形成されていて、本体キャビネット1の正面が若干上向きに傾斜するような形となっている。
（交換ユニット2）
交換ユニット2は、種々の部品を設置あるいは固定するための支持体21と、この支持体21に固定されたリールユニット22及び基板ユニット24とから形成されている。
【００２３】
ここで、リールユニット22は、複数の駆動モータを有し、各駆動モータの回転軸には、各々、表面に複数の図柄が表示された回転リール23が固定されている。また、前記基板ユニット24には、遊技及びスロットマシンの作動を制御するための主基板と、各種演出を行うための副基板が含まれている。
前記支持体21は、図１に示すように枠体構造となっている。また、図４に示すように、前記支持体21には木材板により形成された交換ユニット背板20が設けられており、この支持体21の背面を覆っている。また、この支持体21の左側には、前記上扉30を係合させ、回転自在となるように支持するための上部係合部51が上下方向に間隔を置いてそれぞれ二つずつ設けられている。
【００２４】
交換ユニット2は、本体キャビネット1の中板12の上に載置され、開口上部13内部に収納されるものである。交換ユニット2を開口上部13内部に収納した際には、前記支持体21の背面が、本体キャビネット1の背面開口部19に合致するものとなっている。その後、交換ユニット2は、固定装置10により本体キャビネット1に固着される。
前記交換ユニット背板20には、その中央部分に、上下方向に長い長方形状の空隙25が複数個設けられている（図４参照）。上述の如く、交換ユニット2を本体キャビネット1の開口上部13内部に収納すると、前記交換ユニット背板20が本体キャビネット1の背面開口部19に合致することとなり、本体キャビネット1の背板として代用される（図５及び図６参照）。
【００２５】
なお、交換ユニット背板20としては、空隙25を多数有するメッシュ板を用いることもできる。
（上扉30）
上扉30は、交換ユニット2の支持体21の左側に回転自在に支持され、かつ、支持体21の右側でロック可能に形成されている板状の扉であり、略中央部に前記回転リール23の図柄を正面側から見ることができる図柄表示窓31を有し、周囲に飾り部33を設けてある。そして、種々の表示を行うための表示部32が設けられているものである。
ここで、前記飾り部33は、ランプ等により形成しても良く、入賞の報知その他の演出時にランプが点滅するようにしてもよい。また、前記表示部32は、７セグメントＬＥＤ等により数字を表示するものや、特に図示しないが、画像を表示するための液晶画面あるいはＣＲＴなどとしてもよい。
【００２６】
さらに、図２に示すように、上扉30の裏面には、前記上部係合部51に係合可能な上扉係合部53が上下方向に間隔をおいて二つ設けられており、上扉係合部53の対向側には、ロック機構6が設けられている。そして、上扉30の裏面上部の左右には、種々の音声を出力するためのスピーカ35が設けられている。
このロック機構6は、上扉30側に設けられた係止片が、特に図示しないが、交換ユニット2の右側に設けられた凸部に係止され、扉を閉めると自動的にロックされ、解錠手段によりロックが解除されるように形成されている。
以上のように構成された上扉30は、前記交換ユニット2を本体キャビネット1に固着した状態で、扉を閉めロックすることにより、本体キャビネット1の開口上部13を密閉することができるものである。
【００２７】
（下扉40）
下扉40は、本体キャビネット1の開口下部14を塞ぐための扉であり、本体キャビネット1の側板16に回転自在かつロック可能に形成されているものである。
下扉40の上部は、スロットマシンを作動させるための操作部41となっており、下扉40の上面は、閉扉時においては、上扉30よりも前側に突出するようになっている。また、下扉40の下部には払い出されたメダルを溜めておくためのメダル受け皿43が形成されており、前記操作部41とメダル受け皿43との間には、遊技内容その他の表示をするための表示パネルが取り付けられている。
【００２８】
前記操作部41としては、下扉40の上面右端にはメダル投入口42及び上面左側に設けられたベットスイッチ、正面側にはスタートスイッチ及びストップスイッチ及び鍵穴44が設けられている。なお、ベットスイッチとは、貯留メダルをメダル投入に代えるためのものであり、スタートスイッチ及びストップスイッチは、回転リール23の回転を開始及び停止させるためのものである。また、鍵穴44は、前扉3を解錠するためのものであり、この穴に所定の鍵を差し込んで回すと、下扉40のロックが解除されるものである。そして、下扉40が解錠されることにより、上扉30も解放可能に形成されている。
さらに、図２に示すように、下扉40の裏面側には、前記メダル投入口42から投入されたメダルを誘導しながらメダルの正偽を判断するためのメダルセレクター45が設けられている。
【００２９】
また、下扉40の裏面には、前記下部係合部52と係合可能な下扉係合部54が上下方向に間隔をおいて二つ設けられており、下扉係合部54の対向側には、ロック機構6が設けられている。ロック機構6の構成は、上扉30のものとほぼ同様である。
（総括）
以上のように、本発明の実施の形態に係る分離型スロットマシンでは、本体キャビネット1の背面の、中板12よりも上方には、背板18が備えられておらず、背面開口部19となっている。
そして、交換ユニット2を構成する支持体21の背面側には交換ユニット背板20が備えられており、交換ユニット2が本体キャビネット1の開口上部13内部に収納された際に、交換ユニット背板20が本体キャビネット1の背面開口部19に合致する。すなわち、前記交換ユニット背板20が、本体キャビネット1の背板18として代用される。
【００３０】
したがって、本体キャビネット1の、中板12より上方の内部空間は、背板18が無い分、奥行き方向に広くなるため、本発明の実施の形態に係る分離型スロットマシンは、従来のスロットマシンと略同等の広さの上方内部空間を有することとなる。そして、回転リール23の大型化や構成部品の増加にも比較的容易に対応しやすくなり、ひいては自由度の高い設計を行うことができることとなる。
さらに、交換ユニット2に設けられた交換ユニット背板20により、埃等が本体キャビネット1の内部に混入することを抑制することができる。
さらに、交換ユニット背板20に空隙25が設けられていることにより、本体キャビネット1の内部に熱がこもることを防止することができる。
【図面の簡単な説明】
【００３１】
【図１】本発明の実施の形態に係る分離型スロットマシンを示す分解斜視図である。
【図２】本発明の実施の形態に係る分離型スロットマシンの開扉状態及び上扉並びに下扉を示す斜視図である。
【図３】本発明の実施の形態にかかる本体キャビネットの背面斜視図である。
【図４】本発明の実施の形態にかかる交換ユニットの背面斜視図である。
【図５】交換ユニットを本体キャビネットに収納した状態を示す斜視図である。
【図６】交換ユニットを本体キャビネットに収納した状態を示す側断面図である。
【符号の説明】
【００３２】
Ｓ  分離型スロットマシン
1  本体キャビネット      2  交換ユニット
3  前扉                  4  電源ユニット
5  ホッパーユニット      6  ロック機構
7  集中端子板
10  固定装置            11  開口部
12  中板                13  開口上部
14  開口下部            15  底板
16  側板                16a 右側板
16b 左側板              17  天板
18  背板                19  背面開口部
20  交換ユニット背板
21  支持体              22  リールユニット
23  回転リール          24  基板ユニット
25  空隙
30  上扉                31  図柄表示窓
32  表示部              33  飾り部
35  スピーカ
40  下扉                41  操作部
42  メダル投入口        43  メダル受け皿
44  鍵穴                45  メダルセレクター
51  上部係合部          52  下部係合部
53  上扉係合部          54  下扉係合部
【図１】
2006075506.tif 000003
【図２】
2006075506.tif 000004
【図３】
2006075506.tif 000005
【図４】
2006075506.tif 000006
【図５】
2006075506.tif 000007
【図６】
2006075506.tif 000008